(57)【要約】【課題】遊技機の受皿および遊技媒体を収容する収容箱に収容された遊技媒体を指でつかみ取る際に、遊技媒体をつかみ取り易くする遊技機の受皿用マットを提供する。【解決手段】フラットなシート部４の表面全体に、複数の凸部５が植毛態様にてシート部４と一体成形されている。シート部４の全体形状は、スロットマシンの受皿の内底面と略同一形状とされ、その材質は軟質の塩化ビニール樹脂とされている。よって、受皿用マット３上のメダルを指でつかみ取る際には、凸部５は接触する指に対応して緩やかに傾斜してメダルとの隙間を形成し、遊技者は受皿用マット３上に排出されたメダルを簡単に指でつかんで取り出すことができる。【選択図】      図２
2005131266.tif 000002
【特許請求の範囲】
【請求項１】
遊技媒体を用いて遊技する遊技機における遊技媒体を収容する受皿に敷設され、当該受皿に収容された遊技媒体を取り易くするための凹凸形状が表面に形成された遊技機の受皿用マット。
【請求項２】
前記凹凸形状は、フラット状のシート部の基盤面から植毛態様に凸部が一体成形により形成されている請求項１に記載の遊技機の受皿用マット。
【請求項３】
前記遊技機の受皿用マットは、前記遊技媒体が円盤形状のメダルである遊技機の受皿内の底面に設けられ、前記メダルが前記受皿に収容される際には、前記凸部により前記メダルの下面の一部又は全部を前記シート部の基盤面から離間させることで前記メダルの下面部を把持可能に構成したことを特徴とする請求項２に記載の遊技機の受皿用マット。
【請求項４】
前記遊技機の受皿用マットの材質は、前記受皿の底面に密着可能な軟質の塩化ビニール樹脂又はウレタン樹脂である請求項１乃至請求項３のいずれか１項に記載の遊技機の受皿用マット。
【請求項５】
前記シート部に、上方から視認可能な広告媒体が設けられることを特徴とする請求項２乃至請求項４のいずれか１項に記載の遊技機の受皿用マット。
【請求項６】
前記シート部及び凸部は透明であって、前記シート部の下面には前記シート部を下方から被うカバー部が設けられ、前記広告媒体は前記カバー部とシート部との間に挟まれて上方から視認可能とされている請求項５に記載の遊技機の受皿用マット。
【請求項７】
前記遊技機の受皿用マットは、前記遊技機の受皿内の底面を覆うように当該底面と略同一形状に形成されている請求項１乃至請求項６のいずれか１項に記載の遊技機の受皿用マット。
【請求項８】
遊技機で遊技する際に用いられる遊技媒体を収容する収容箱に敷設され、当該収容箱に収容された遊技媒体を取り易くするための凹凸形状が表面に形成された遊技媒体の収容箱用マット。
【請求項９】
前記凹凸形状は、フラット状のシート部の基盤面から植毛態様に凸部が一体成形により形成されており、前記遊技媒体が前記収容箱に収容される際には、前記凸部により前記遊技媒体の一部又は全部を前記シート部の基盤面から離間させることで前記遊技媒体を把持可能に構成したことを特徴とする請求項８に記載の遊技媒体の収容箱用マット。
【請求項１０】
前記シート部に、上方から視認可能な広告媒体が設けられることを特徴とする請求項８又は請求項９に記載の遊技媒体の収容箱用マット。
【発明の詳細な説明】
【技術分野】
【０００１】
本発明は、スロットマシン等の遊技機において、遊技媒体を収容する受皿および遊技媒体を収容する収容箱に取り付けられるマットに関する。
【背景技術】
【０００２】
スロットマシンやパチンコ遊技機等により遊技を行っているとき、遊技者が獲得したコインやパチンコ球等の遊技媒体は、遊技機の受皿（以下、パチンコ機の下皿およびスロットマシンの受皿等を総称して「受皿」という。）に賞与される。この受皿で収容しきれない場合には、球箱等の遊技媒体の収容箱に移し入れて貯留する。例えば、パチンコ機で用いる球箱の多くは、硬質の樹脂材からなるため、鉄製のパチンコ球がパチンコ機から排出されて球箱内に落下する時には大きな衝撃音が発生する。この衝撃音は騒音となって、周囲の遊技者を不愉快な思いにさせてしまうことがあった。そこで、このような問題を解消するべく、例えば特許文献１に記載されるような消音マットが提案されている。
【０００３】
この特許文献１における消音マットは、厚さ３〜５ｍｍ程度の衝撃吸収性シート、もしくはクッション性シートを球箱の底面と略同一寸法に裁断して形成されている。これを球箱に入れると、球箱の底面のほぼ全面がこの消音マットにより覆われることとなる。よって、パチンコ機から排出されたパチンコ球の球箱への落下の衝撃を緩和吸収して、衝撃音の発生を抑えることができるとされていた。
【０００４】
また、メダルの類であるコイン（硬貨）を取り易くするためのマットとして、店頭や銀行のカウンターで客と店員間でお金をやり取りする際に利用される卓上に直接置かれるマットや、またカルトンと称される小さな盆の内底部に敷かれるマット等が知られている。
【０００５】
一方、パチンコ機において一旦パチンコ球が収容される下皿や、スロットマシンにおけるメダルが収容される受皿においては、通常、前述の球箱と同様に硬質の樹脂材が使用されている。しかし、前述の球箱とは事情が異なる。つまり、受皿に流入する遊技媒体の量は球箱に比べると僅かであり、遊技媒体が受皿の底面まで落下する落下距離も短い。このため、遊技媒体が受皿へ落下する時には、球箱へ遊技媒体を移し入れる時ほどの衝撃音は発生しない。それどころか、遊技媒体が受皿へ落下する時に発生する程度の衝撃音は、かえって遊技者の遊技意欲を奮起させて、遊技を長く続行させるという効果を奏する。そのため、球箱等と反対に、むしろ受皿に賞与される遊技媒体の落下音は積極的に大きく響かせるように構成されていた。以上のような理由から、遊技機の受皿には、球箱やカルトンに設けられるようなマットの類は一切設けないのが常識であった。
【特許文献１】特開平１０−５４４１号公報（請求項１、図１）
【発明の開示】
【発明が解決しようとする課題】
【０００６】
しかしながら、近年、女性の遊技利用者が年々増加傾向にあり、その年齢層においても中高年のみならず、１０代・２０代の若い女性が増えてきている。また、近年の流行ファッションとして、若い女性の間では、ネイルアートと称して長く延ばした爪に絵や模様を描いたり、さらに長い付け爪を手の爪に装着している場合が多く見られる。従来の受皿では、短い爪であれば容易に遊技媒体が取れるとしても、特にこういった長い爪では、受皿の表面はつるつるしていて滑り易く、さらに付け爪の場合では、強くつかむと付け爪が剥離してしまうようなこともあった。そのため、このような爪の長い女性客にとっては、受皿に収容された遊技媒体を指でつかんで取るという作業が極めて困難になっているという新たな問題が生じた。なお、この問題は遊技媒体の収容箱についても同様に生じていた。
【０００７】
上記問題を解決するため、本発明は、遊技機の受皿および遊技媒体を収容する収容箱に収容された遊技媒体を指でつかみ取る際に、遊技媒体をつかみ取り易くする遊技機の受皿用マットおよび遊技媒体の収容箱用マットを提供することを目的とする。
【課題を解決するための手段】
【０００８】
上記目的を達成するため、請求項１に記載の遊技機の受皿用マットは、遊技媒体を用いて遊技する遊技機における遊技媒体を収容する受皿に敷設され、当該受皿に収容された遊技媒体を取り易くするための凹凸形状が表面に形成されたことを要旨とする。
【０００９】
請求項２に係る遊技機の受皿用マットは、請求項１に記載の遊技機の受皿用マットにおいて、前記凹凸形状は、フラット状のシート部の基盤面から植毛態様に凸部が一体成形により形成されていることを要旨とする。
【００１０】
請求項３に係る遊技機の受皿用マットは、請求項２に記載の遊技機の受皿用マットにおいて、前記遊技機の受皿用マットは、前記遊技媒体が円盤形状のメダルである遊技機の受皿内の底面に設けられ、前記メダルが前記受皿に収容される際には、前記凸部により前記メダルの下面の一部又は全部を前記シート部の基盤面から離間させることで前記メダルの下面部を把持可能に構成したことを要旨とする。
【００１１】
請求項４に係る遊技機の受皿用マットは、請求項１乃至請求項３のいずれか１項に記載の遊技機の受皿用マットにおいて、前記遊技機の受皿用マットの材質は、前記受皿の底面に密着可能な軟質の塩化ビニール樹脂又はウレタン樹脂であることを要旨とする。
【００１２】
請求項５に係る遊技機の受皿用マットは、請求項２乃至請求項４のいずれか１項に記載の遊技機の受皿用マットにおいて、前記シート部に、上方から視認可能な広告媒体が設けられることを要旨とする。
【００１３】
請求項６に係る遊技機の受皿用マットは、請求項５に記載の遊技機の受皿用マットにおいて、前記シート部及び凸部は透明であって、前記シート部の下面には前記シート部を下方から被うカバー部が設けられ、前記広告媒体は前記カバー部とシート部との間に挟まれて上方から視認可能とされていることを要旨とする。
【００１４】
請求項７に係る遊技機の受皿用マットは、請求項１乃至請求項６のいずれか１項に記載の遊技機の受皿用マットにおいて、前記遊技機の受皿用マットは、前記遊技機の受皿内の底面を覆うように当該底面と略同一形状に形成されていることを要旨とする。
請求項８に係る遊技媒体の収容箱用マットは、遊技機で遊技する際に用いられる遊技媒体を収容する収容箱に敷設され、当該収容箱に収容された遊技媒体を取り易くするための凹凸形状が表面に形成されたことを要旨とする。
【００１５】
請求項９に係る遊技媒体の収容箱用マットは、請求項８に記載の遊技媒体の収容箱用マットにおいて、前記凹凸形状は、フラット状のシート部の基盤面から植毛態様に凸部が一体成形により形成されており、前記遊技媒体が前記収容箱に収容される際には、前記凸部により前記遊技媒体の一部又は全部を前記シート部の基盤面から離間させることで前記遊技媒体を把持可能に構成したことを要旨とする。
【００１６】
請求項１０に係る遊技媒体の収容箱用マットは、請求項８又は請求項９に記載の遊技媒体の収容箱用マットにおいて、前記シート部に、上方から視認可能な広告媒体が設けられることを要旨とする。
【発明の効果】
【００１７】
本発明によれば、遊技機の受皿および遊技媒体を収容する収容箱に収容された遊技媒体を指でつかみ取る際に、遊技媒体をつかみ取り易くすることができる。
【発明を実施するための最良の形態】
【００１８】
（第１の実施形態）以下、本発明の遊技機の受皿用マットを具体化した第１の実施形態を図１〜図４にしたがって説明する。
第１の実施形態では、遊技媒体を用いる遊技機の代表的な１例として、周知のスロットマシンを例に説明する。図１は、本実施形態の遊技機の受皿用マット（以下、単に「受皿用マット」という。）３の使用態様を示す全体図である。図１に示すように、スロットマシン１の下部前面に位置する受皿２の内底面には、受皿用マット３が敷設されている。そして、スロットマシン１の排出口７から排出される遊技媒体としてのメダル８が、受皿２に装着された受皿用マット３上に収容されるようになっている。
【００１９】
図２は、この受皿用マット３の斜視図である。受皿用マット３は全体が透明であって、厚さ２〜４ｍｍ程度の平面視が概ね長方形状のフラットなシート部４の基盤面である表面全体に、多数の凸部５が植毛態様にて凸設されるようにシート部４と一体成形されている。シート部４の全体形状は、スロットマシン１の受皿２の内底面を隙間ができないように敷き詰められるように、その内底面と略同一形状とされている。凸部５は根元が直径約１．５ｍｍ、長さが約４ｍｍで、先端の直径が約１ｍｍであって、先端に向かって細くなるように形成されている（図３参照）。そして、これらの凸部５がシート部４の表面に約２．５ｍｍ間隔で立設されている。また、受皿用マット３の材質は軟質の塩化ビニール樹脂とされている。よって、凸部５によりメダル８の下面の一部又は全部をシート部４の基盤面から離間させることでメダル８の下面部を爪の先で容易に把持することが可能になっている。また、遊技者が触れた際には、凸部５の先端は緩やかに変形し、その手触りはなめらかで柔らかいものとなっている。
【００２０】
また、受皿用マット３の下面中央部には、広告媒体６が印刷されており、上面からその広告内容を視認できるようになっている。なお、広告媒体６には遊技場名やスロットマシン名等が記載されており、所望の広告により宣伝効果が得られるようになっている。
【００２１】
図４は、上記のように構成される受皿用マット３をスロットマシン１の受皿２に装着する様子を示す図である。受皿用マット３は、受皿２の内底面と略同一形状に形成されているため、その内底面上にすっぽりと収納される（図１参照）。また、受皿用マット３は軟質の塩化ビニール樹脂製であるため、硬質の樹脂材からなるスロットマシンの受皿２の内底面に対して、粘着性をもって安定して装着される。
【００２２】
また、受皿用マット３は、塩化ビニールの粉体と塩化ビニール用の可塑剤を混練して得られる塩化ビニールゾルを液体状態で所望の型に流し込んで、この状態で加熱処理を行い、塩化ビニールゾルをゲル化させて型から外すことにより一体成形される。
【００２３】
上記第１の実施形態に係る受皿用マット３によれば、以下のような効果を得ることができる。
（１）受皿用マット３は、平面視が概ね長方形状のフラットなシート部４の基盤面としての表面全体に、複数の凸部５が植毛態様にてシート部４と一体成形される。この受皿用マット３をスロットマシン１の受皿２に装着することにより、メダル８は受皿用マット３上に排出される。この時、メダル８はシート部４の基盤面に形成される複数の凸部５の先端部分で支持されており、シート部４のフラット状の基盤面とは直接当接していない状態となる。よって、図３に示すように受皿用マット３上のメダル８を指でつかみ取る際には、指が複数の凸部５と凸部５の間の空間に入り込みメダル８の下面部を利用して簡単に指でつかんで取り出すことができる。
【００２４】
（２）受皿用マット３の材質は、軟質の塩化ビニール樹脂である。そのため、硬質の樹脂材からなるスロットマシン１の受皿２の内底面に載置することで自重により変形して密着するように装着される。また、適度な摩擦力も生じる。よって、粘着テープ等の特別な接着方法を用いなくても、そのままで受皿２に対して滑りにくく安定した装着が可能である。また、使用中、受皿用マット３が破損したり汚れたりした時に、受皿用マット３を取り替える作業が極めて容易となる。
【００２５】
また、メダル８が排出口７から排出され受皿用マット３へ落下する際の衝撃を緩和吸収して、衝撃音の発生を抑えることができる。
（３）受皿用マット３は、その材質が軟質の塩化ビニール樹脂であることに加え、凸部５の形状は先端に向けて徐々に細くなっている形態とした。これにより、遊技者が受皿用マット３に触れた時には、その手触りはなめらかで柔らかいものとなる。また、特に爪を長くしている遊技者にとっては、凸部５は接触する指に対応して緩やかに傾斜してメダル８との隙間を形成するため（図３参照）従来と比してメダル８が非常に取り易く、また、付け爪等が破損する虞も少なく、より快適な遊技環境を提供することができる。
【００２６】
（４）受皿用マット３は、その全体を透明に形成されている。よって、受皿用マット３の下面に印刷された広告媒体６の表示内容を、上面から視認することができる。
（第２の実施形態）次に、本発明の第２の実施形態を図５に基づき説明する。なお、第２の実施形態は、第１の実施形態における受皿用マット３の、シート部４の下面（受皿用マット３の裏面）と広告媒体６の構成を一部変更したものであり、その他の点では第１の実施形態と同一の構成になっている。従って、以下ではその変更点についてのみ説明する。凸部５の構成は第１の実施形態と共通するため説明は省略するとともに、同一構成部材には同一の符号が付されることとして説明する。
【００２７】
図５は、第２の実施形態に係る受皿用マット１３を裏面から示す斜視図である。図５に示されるように、受皿用マット１３の裏面には、シート部４と同一形状の透明なカバー部１１が、一端側（図５右側）をシート部４の下面とウェルダー加工により固着されている。カバー部１１の他端側（図５左側）は、固定されず自由とされ、これにより受皿用マット１３の裏面には開口部が形成される。また、上面から視認可能とされる広告媒体１６は、この開口部から挿入されてカバー部１１とシート部４の下面との間に設けられる。広告媒体１６は厚さ０．１ｍｍ〜０．２ｍｍ程度の薄い紙であって、表面に広告内容が印刷されている。
【００２８】
よって、広告媒体１６を受皿用マット１３に装着させる際には、カバー部１１を指でつまんでシート部４から剥がすようにしてから、形成された開口部へ側方から広告媒体１６を挿入すれば良い。使用時には、挿入後の広告媒体１６は、カバー部１１とシート部４との間に圧着固定されて安定し、図２に示されるのと同様の形態で、上方から広告媒体を視認することができるようになっている。
【００２９】
従って、本実施形態においても、第１の実施形態と同様の効果を発揮できるとともに、広告媒体１６を交換することによって広告内容を自由にかつ容易に変更することができるというさらなる効果がある。
【００３０】
（第３の実施形態）次に、本発明の遊技媒体の収容箱用マットを具体化した第３の実施形態を図１０にしたがって説明する。
図１０は、本実施形態の遊技媒体の収容箱用マット（以下、単に「収容箱用マット」という。）９の使用態様を示す全体図である。図１０に示すように、遊技媒体であるパチンコ玉やメダルを貯留しておくための略直方体形状の収容箱１０の内底面には、収容箱用マット９がその内底面一面を隙間なく覆うようにして敷設されている。収容箱用マット９の構成については、上記第１の実施形態と同様であるため省略する。
【００３１】
従って、本実施形態においても、第１の実施形態と同様の効果を発揮できる。
なお、上記各実施形態は以下のような別の実施形態（別例）に変更しても良い。
・本実施形態においては、受皿用マット３，１３を遊技機の一種であるスロットマシン１に装着したが、遊技媒体を使用して遊技する各種の遊技機に適用できる。例えば、パチンコ機の下皿に装着することもできる。この場合、パチンコ機の下皿の底面にはパチンコ球を排出するための排出口が備えられていることが多いので、排出口に対応する受皿用マットの所定部分に孔を開けた構成として対応することができる。
【００３２】
・本実施形態における受皿用マット３の形状は、受皿２の内底面の形状に合わせて全体が長方形状に形成されているが、この形状に限定されることなく、装着される遊技機の受皿の形状に合わせて種々変更することができる。また、必ずしも受皿２の内底面全体を覆うような形状に限定されず、一部分に設けられるようなものでもよい。さらに、内底面のみならず側壁部までを覆うような立体的な箱状の形状としてもよい。このような形状とすることで、さらに消音効果や安定性を高めたりすることもできる。
【００３３】
・第２の実施形態におけるカバー部１１は、その一端側（図５右側）がシート部４の下面と固着される構成としたが、これに代えて、隣り合う１組の長手方向１辺と幅方向１辺との側縁にＬ字状に固着される構成としても良い。この場合、図６に示されるように、受皿用マット２３のカバー部２１の１隅（図６左下端）を指で持ち上げることにより開口部が形成されて、この開口部から広告媒体を挿入することができる。挿入後の広告媒体は、カバー部２１とシート部４との間に圧着固定されて、第２の実施形態と同様の効果を得ることができる。
【００３４】
・また、カバー部１１をシート部４の長手方向の２隅を含む隣り合う３辺に、コ字状に固着し、袋状に構成することもできる。この構成によれば、より安定して広告媒体をシート部とカバー部との間に圧着固定することができ、例えば遊技者が不用意に受皿用マットを持ち上げた際にも、広告媒体が落ちにくいという効果がある。
【００３５】
・さらに、カバー部は透明な材質に限らず、固定された広告媒体の視認性をアップさせるような色彩、光沢等を備えたものとしてもよい。
・本実施形態では、凸部５がシート部４の表面から植毛態様に形成される構成としたが、これに代えて図７、図８に示されるようにシート部４の表面を三角山形の凹凸部として構成しても良い。図７は、この別例における受皿用マット３３を示す斜視図、図８はその側断面図である。この場合の受皿用マット３３は、例えば厚さ１０ｍｍ程度のウレタン等の発泡剤に、エンボス加工により凹凸形状をプレス成形して製造することができる。
【００３６】
・本実施形態の凸部５は、シート部４と共に一体成形されるとしたが、これに代えて、凹凸形状が形成された別個のシートを、受皿用マット３のシート部４の基盤面としての表面に接着する構成としても良い。この場合、例えば、合成繊維等の繊維材にて凹凸が形成されたシートを用いることもできる。
【００３７】
・また、フラット状のシート部４の基盤面に別体の部材を凸部として付加した構成としてもよい。このように構成することで、凸部とシート部４とを別の材質で構成することができ、例えば凸部のみを柔軟性を有するゴム製とすることができる。
【００３８】
・本実施形態の受皿用マット３では、全体が単層構造、受皿用マット１３では２層構造で構成されているが、さらに下面に摩擦力の大きな材質の層を設けたり、粘着性の接着剤の層を設けてもよい。
【００３９】
・本実施形態では、広告媒体６，１６を受皿用マット３，１３の裏面に設ける構成としたが、凸部５の先端部を色付けすることにより所定の文字や模様を描く構成としても良い。
【００４０】
・本実施形態では、広告媒体６を受皿用マット３，１３の下面中央部に設ける構成としたが、図９に示すように受皿用マット４３の下面全体にわたってその広告が表示されるように構成しても良い。また、広告内容についても、文字だけでなくキャラクターをデザインした絵を表現することもできる。
【００４１】
・本実施形態の受皿用マット３，１３の材質は、塩化ビニール樹脂としたが、その他エチレン酢酸ビニール樹脂やウレタン樹脂、ゴム、エラストマー系樹脂等としても良い。
・また、材質は必ずしも軟質のものとは限定されず、受皿２の形状に合わせて形成された硬質の樹脂素材・金属なども採用できる。この場合は、コイン等が取りやすく、かつ、コインの落下する音をさらに反響させ、遊技の演出効果を高めることもできる。
【００４２】
・第１の実施形態における広告媒体６は、シート部４の下面に印刷される構成としたが、紙製等の広告媒体を下面に貼り付ける構成としても良い。
・本実施形態の受皿用マット３，１３を、両面テープ等で受皿２の内底面に固定する構成としても良い。
【００４３】
次に、上記実施形態及び別例から把握できる技術的思想について、以下に追記する。
（イ）前記カバー部はその一部を前記シート部の下面と固着されて、前記カバー部の開閉により前記遊技機の受皿用マットの下面には開口部が形成され、その開口部において前記広告媒体は前記カバー部とシート部との間に交換可能に出し入れが可能とされる請求項６に記載の遊技機の受皿用マット。この構成によれば、広告媒体を交換することで広告内容を自由にかつ容易に変更することができる。
【図面の簡単な説明】
【００４４】
【図１】本発明に係る第１の実施形態における遊技機の受皿用マットの使用態様を示す全体図。
【図２】遊技機の受皿用マットの斜視図。
【図３】遊技機の受皿用マット上のメダルをつかみ取る態様を示す側面図。
【図４】遊技機の受皿用マットをスロットマシンの受皿に装着する様子を示す図。
【図５】第２の実施形態における遊技機の受皿用マットの斜視図。
【図６】別の実施形態における遊技機の受皿用マットの斜視図。
【図７】別の実施形態における遊技機の受皿用マットの斜視図。
【図８】図７における遊技機の受皿用マットの側断面図。
【図９】別の実施形態における遊技機の受皿用マットの平面図。
【図１０】第３の実施形態における遊技媒体の収容箱用マットの使用態様を示す全体図。
【符号の説明】
【００４５】
１…スロットマシン（遊技機）、２…受皿、３，１３，２３，３３，４３…遊技機の受皿用マット、４…シート部、５…凸部、６，１６…広告媒体、８…メダル（遊技媒体）、９…遊技媒体の収容箱用マット、１０…収容箱、１１，２１…カバー部。
【図１】
2005131266.tif 000003
【図２】
2005131266.tif 000004
【図３】
2005131266.tif 000005
【図４】
2005131266.tif 000006
【図５】
2005131266.tif 000007
【図６】
2005131266.tif 000008
【図７】
2005131266.tif 000009
【図８】
2005131266.tif 000010
【図９】
2005131266.tif 000011
【図１０】
2005131266.tif 000012